(57)【特許請求の範囲】
【請求項１】
複数の音楽コンテンツデータを使う際の組合せ状態で演奏環境を表わす演奏環境設定データを記憶するための演奏環境記憶手段を備えた電子音楽装置であって、
有償の音楽コンテンツデータと同等の実体データを有する試奏用音楽コンテンツデータを供給する試奏用コンテンツ供給手段と、
試奏用コンテンツ供給手段より供給される試奏用音楽コンテンツデータを含む複数の音楽コンテンツデータを指定して演奏環境を設定する演奏環境設定手段と、
演奏環境設定手段により設定された演奏環境を表わす演奏環境設定データの保存を指示する環境設定保存指示手段と、
環境設定保存指示手段の指示に従って、試奏用コンテンツ供給手段より供給される試奏用音楽コンテンツデータの指定を除く演奏環境設定データを演奏環境記憶手段に記憶する演奏環境制限記憶手段と
を具備することを特徴とする電子音楽装置。
【請求項２】
複数の音楽コンテンツデータを使う際の組合せ状態で演奏環境を表わす演奏環境設定データを記憶するための演奏環境記憶手段を備えた電子音楽装置であって、
有償の音楽コンテンツデータと同等の実体データを有する試奏用音楽コンテンツデータを供給する試奏用コンテンツ供給手段と、
複数の音楽コンテンツデータを指定して演奏環境を設定する演奏環境設定手段と、
演奏環境設定手段により設定された演奏環境を表わす演奏環境設定データの保存を指示する環境設定保存指示手段と、
環境設定保存指示手段により保存が指示された演奏環境設定データに、試奏用コンテンツ供給手段より供給される試奏用音楽コンテンツデータの指定が含まれる場合に、当該演奏環境設定データの演奏環境記憶手段への保存を禁止する演奏環境保存禁止手段と
を具備することを特徴とする電子音楽装置。
【請求項３】
複数の音楽コンテンツデータを使う際の組合せ状態で演奏環境を表わす演奏環境設定データを記憶するための演奏環境記憶手段を備えた電子音楽装置であって、
有償の音楽コンテンツデータと同等の実体データを有する試奏用音楽コンテンツデータを供給する試奏用コンテンツ供給手段と、
試奏用コンテンツ供給手段より供給される試奏用音楽コンテンツデータを含む複数の音楽コンテンツデータを指定して演奏環境を設定する演奏環境設定手段と、
演奏環境設定手段により設定された演奏環境を表わす演奏環境設定データを演奏環境記憶手段に記憶する演奏環境記憶制御手段と、
演奏環境記憶手段から、試奏用コンテンツ供給手段より供給される試奏用音楽コンテンツデータの指定を除いて演奏環境設定データを読み出す演奏環境制限読出し手段と
を具備することを特徴とする電子音楽装置。
【発明の詳細な説明】
【技術分野】
【０００１】
この発明は、有償で提供される音楽コンテンツデータの試奏版データを適正な範囲で使用することができるようにした電子音楽装置に関する。
【背景技術】
【０００２】
従来より、有償で提供される（「有償版」或いは「購入用」という）音楽コンテンツデータについて購入前に試奏用のデータで演奏内容を確認することができるようにした電子音楽装置が知られており、例えば、特許文献１には、有償の自動伴奏用スタイルデータを購入する前に、ユーザに提供された試聴用データに基づく伴奏音を確認することで、正規のスタイルデータを購入するかしないかを適正に判断することができるようにした演奏装置が開示されている。
【特許文献１】特開２００６−２７６５６７号公報
【０００３】
一般に、試聴用と呼ばれる音楽コンテンツは、コンテンツのクオリティを落とす、コンテンツの使用期限が設定されている、コンテンツの保存や編集等の機能が制限される、などの制限を課すことが多い。これにより、試聴用の音楽コンテンツを、その試聴の範囲を超えてユーザが使い続けることを防止している。
【０００４】
試聴用の音楽コンテンツに対する従来の制限のうち、クオリティを落とすものや使用期限が設定されているものは、ユーザが音楽コンテンツについて十分な理解をすることができるとは限らない。特に、音楽コンテンツが音色データや伴奏スタイルデータなどのリアルタイム楽器演奏に用いる素材データである場合には、購入前にその演奏効果を試すために提供される（「試奏版」或いは「試奏用」という）データは、有償版データと同じクオリティを持っていないと、その音楽コンテンツ（素材データ）の魅力を十分理解することができないし、使用期限が設定されていると、じっくりとその音楽コンテンツ（素材データ）を試すことができない。
【０００５】
ところで、音色データや伴奏スタイルデータは、他の音楽コンテンツと合わせて利用することが多い。例えば、伴奏スタイルデータを使った自動伴奏をしつつ、音色データを使ったリアルタイム演奏を行ったり、或いは、複数の音色データをレイヤー（１つの演奏操作で複数の音色が同時に発音される形態）で使用したりすることがよくある。そして、多くの電子音楽装置はこのような組合せをレジストレーションとして登録することができ、簡単に演奏環境を再現できるようにしている。
【０００６】
従って、このような素材型の音楽コンテンツの提供者としては、購入前に試奏版により音楽コンテンツの特徴をユーザに十分に理解してもらった上で、正規に購入して欲しいという要求がある。しかし、一方では、試奏用の音楽コンテンツはあくまで試奏用であって、試奏用の音楽コンテンツを使って楽曲の自由な演奏ができてしまうと、もはや試奏とは言えなくなってしまう。特に、試奏用音楽コンテンツをレジストレーションにまで組み込むことができるようなものにしてしまうと、試奏用コンテンツで購入用コンテンツと同等の演奏ができてしまう。それ故、有償版の音楽コンテンツ提供者としては、そのコンテンツが気に入った早い時点で購入してもらいたいという要求もある。
【発明の開示】
【発明が解決しようとする課題】
【０００７】
この発明は、このような事情に鑑み、有償で提供される音楽コンテンツの試奏用データについて試奏の範囲を超えて使用されるのを防止することができる電子音楽装置を提供することを目的とする。
【課題を解決するための手段】
【０００８】
この発明の第１の特徴に従うと、複数の音楽コンテンツデータを使う際の組合せ状態で演奏環境を表わす演奏環境設定データ（Ｄｒ）を記憶するための演奏環境記憶手段（ＭＲ）を備えた電子音楽装置であって、有償の音楽コンテンツデータと同等の実体データを有する試奏用音楽コンテンツデータ（Ｄｔ：Ｄｔｖ，Ｄｔｓ，…）を供給する試奏用コンテンツ供給手段（ＭＥ）と、試奏用コンテンツ供給手段（ＭＥ）より供給される試奏用音楽コンテンツデータ（Ｄｔ）を含む複数の音楽コンテンツデータを指定して演奏環境を設定する演奏環境設定手段と、演奏環境設定手段により設定された演奏環境を表わす演奏環境設定データ（Ｄｒ）の保存を指示する環境設定保存指示手段〔Ｒ１〜Ｒ４（ＹＥＳ）〕と、環境設定保存指示手段（Ｒ１〜Ｒ４）の指示に従って、試奏用コンテンツ供給手段（ＭＥ）より供給される試奏用音楽コンテンツデータ（Ｄｔ）の指定を除く演奏環境設定データ（Ｄｒ）を演奏環境記憶手段（ＭＲ）に記憶する演奏環境制限記憶手段（Ｒ６）とを具備する電子音楽装置〔請求項１〕が提供される。なお、括弧書きは、理解の便のために実施例の参照記号や箇所等を付記したものであり、以下においても同様である。
【０００９】
この発明の第２の特徴に従うと、複数の音楽コンテンツデータを使う際の組合せ状態で演奏環境を表わす演奏環境設定データ（Ｄｒ）を記憶するための演奏環境記憶手段（ＭＲ）を備えた電子音楽装置であって、有償の音楽コンテンツデータと同等の実体データを有する試奏用音楽コンテンツデータ（Ｄｔ：Ｄｔｖ，Ｄｔｓ，…）を供給する試奏用コンテンツ供給手段（ＭＥ）と、複数の音楽コンテンツデータを指定して演奏環境を設定する演奏環境設定手段と、演奏環境設定手段により設定された演奏環境を表わす演奏環境設定データ（Ｄｒ）の保存を指示する環境設定保存指示手段〔Ｒ１（ＹＥＳ）〕と、環境設定保存指示手段（Ｒ１）により保存が指示された演奏環境設定データ（Ｄｒ）に、試奏用コンテンツ供給手段（ＭＥ）より供給される試奏用音楽コンテンツデータ（Ｄｔ）の指定が含まれる場合に〔Ｒ２（ＹＥＳ）→Ｒ３→Ｒ４（ＹＥＳ）〕、当該演奏環境設定データ（Ｄｒ）の演奏環境記憶手段（ＭＲ）への保存を禁止する演奏環境保存禁止手段（段落［００４７］）とを具備する電子音楽装置〔請求項２〕が提供される。
【００１０】
この発明の第３の特徴に従うと、複数の音楽コンテンツデータを使う際の組合せ状態で演奏環境を表わす演奏環境設定データ（Ｄｒ）を記憶するための演奏環境記憶手段（ＭＲ）を備えた電子音楽装置であって、有償の音楽コンテンツデータと同等の実体データを有する試奏用音楽コンテンツデータ（Ｄｔ：Ｄｔｖ，Ｄｔｓ，…）を供給する試奏用コンテンツ供給手段（ＭＥ）と、試奏用コンテンツ供給手段（ＭＥ）より供給される試奏用音楽コンテンツデータ（Ｄｔ）を含む複数の音楽コンテンツデータを指定して演奏環境を設定する演奏環境設定手段と、演奏環境設定手段により設定された演奏環境を表わす演奏環境設定データ（Ｄｒ）を演奏環境記憶手段（ＭＲ）に記憶する演奏環境記憶制御手段（段落［００４８］第１文）と、演奏環境記憶手段（ＭＲ）から、試奏用コンテンツ供給手段（ＭＥ）より供給される試奏用音楽コンテンツデータ（Ｄｔ）の指定を除く演奏環境設定データ（Ｄｒ）を読み出す演奏環境制限読出し手段（段落［００４８］第３文）とを具備する電子音楽装置〔請求項３〕が提供される。
【発明の効果】
【００１１】
この発明による電子音楽装置（請求項１〜３）では、複数の音楽コンテンツデータを組み合わせて設定された演奏環境を表わす種々の演奏環境設定データ（Ｄｒ）を記憶するために演奏環境記憶手段（ＭＲ）が備えられ、音色データや伴奏スタイルデータ等の有償の音楽コンテンツデータを購入する前に、これと同じクオリティを有する試奏用音楽コンテンツデータ（Ｄｔ：Ｄｔｖ，Ｄｔｓ，…）が試奏用コンテンツ供給手段（ＭＥ）に用意されており、ユーザには十分な試奏環境が提供される。また、試奏用音楽コンテンツデータ（Ｄｔ）についても他の種類の音楽コンテンツデータと合わせて利用し演奏環境を設定することができるが、設定された演奏環境を表わす演奏環境設定データ（Ｄｒ）の演奏環境記憶手段（ＭＲ）に対する登録或いは読出しについては、以下のように、一定の制限が設けられる。
【００１２】
この発明の第１の特徴による電子音楽装置（請求項１）では、コンテンツ供給手段（ＭＥ）より供給される試奏用音楽コンテンツデータ（Ｄｔ）を含む複数の音楽コンテンツデータを指定して演奏環境が設定され、設定された演奏環境を表わす演奏環境設定データ（Ｄｒ）の保存を指示すると〔Ｒ１〜Ｒ４（ＹＥＳ）〕、この指示に従って、試奏用音楽コンテンツデータ（Ｄｔ）の指定を除く演奏環境設定データ（Ｄｒ）が演奏環境記憶手段（ＭＲ）に保存され、保存内容が制限される（Ｒ６）。つまり、試奏用音楽コンテンツを他の種類の音楽コンテンツと合わせて利用することは可能であるが、これらの音楽コンテンツを組み合わせて設定された演奏環境を演奏環境設定データ（Ｄｒ）として保存し登録する際には、試奏用音楽コンテンツデータ（Ｄｔ）については保存が禁止されているので、登録された演奏環境設定データ（Ｄｒ）に設定された演奏環境を再現しても、再現された演奏環境に試奏用音楽コンテンツデータ（Ｄｔ）に関わる演奏環境はない。
【００１３】
従って、この発明によれば、音楽コンテンツの持つ本来のクオリティを試奏用音楽コンテンツデータに与えてユーザに十分な試奏環境を提供しつつも、演奏環境設定データに従って試奏用音楽コンテンツに関わる演奏環境を再現することはできず、試奏用音楽コンテンツデータが試奏の範囲を超えてユーザにより使用されるのを防止することができる。
【００１４】
この発明の第２の特徴による電子音楽装置（請求項２）では、複数の音楽コンテンツデータを指定して演奏環境が設定され、設定された演奏環境を表わす演奏環境設定データ（Ｄｒ）の保存を指示すると、保存が指示された演奏環境設定データ（Ｄｒ）に、コンテンツ供給手段（ＭＥ）より供給される試奏用音楽コンテンツデータ（Ｄｔ）の指定が含まれる場合には、この演奏環境設定データ（Ｄｒ）の保存自体を禁止する。つまり、試奏用音楽コンテンツを他の種類の音楽コンテンツと合わせて利用することは可能であるが、これらの音楽コンテンツを組み合わせて設定された演奏環境を演奏環境設定データ（Ｄｒ）として保存することはできず、試奏用音楽コンテンツデータ（Ｄｔ）の指定を含む演奏環境は再現することができない。
【００１５】
従って、この発明によれば、音楽コンテンツの持つ本来のクオリティを試奏用音楽コンテンツデータに与えてユーザに十分な試奏環境を提供しつつも、試奏用音楽コンテンツの指定を含む演奏環境の保存自体が禁止され、試奏用音楽コンテンツデータが試奏の範囲を超えてユーザにより使用されるのを防止することができる。
【００１６】
この発明の第３の特徴による電子音楽装置（請求項３）では、コンテンツ供給手段（ＭＥ）より供給される試奏用音楽コンテンツデータ（Ｄｔ）を含む複数の音楽コンテンツデータを指定して演奏環境が設定され、設定された演奏環境を表わす演奏環境設定データ（Ｄｒ）が演奏環境記憶手段（ＭＲ）に保存されるが、演奏環境記憶手段（ＭＲ）からこの演奏環境設定データ（Ｄｒ）を読み出す際には、試奏用音楽コンテンツデータ（Ｄｔ）の指定を除く演奏環境設定データ（Ｄｒ）を読み出す。つまり、試奏用音楽コンテンツを他の種類の音楽コンテンツと合わせて利用することは可能であり、これらの音楽コンテンツを組み合わせて設定された演奏環境を演奏環境設定データ（Ｄｒ）として演奏環境記憶手段（ＭＲ）に保存し登録することができるが、この演奏環境設定データ（Ｄｒ）から、設定された演奏環境を呼び出す際には、試奏用音楽コンテンツデータ（Ｄｔ）の呼出しが禁止されるので、登録された演奏環境設定データ（Ｄｒ）を利用して演奏環境を再現しようとしても試奏用音楽コンテンツデータ（Ｄｔ）に関わる演奏環境については再現することができない。
【００１７】
従って、この発明によれば、音楽コンテンツの持つ本来のクオリティを試奏用音楽コンテンツデータに与えてユーザに十分な試奏環境を提供しつつも、演奏環境設定データに従って試奏用音楽コンテンツに関わる演奏環境を再現することはできず、試奏用音楽コンテンツデータが試奏の範囲を超えてユーザにより使用されるのを防止することができる。
【発明を実施するための最良の形態】
【００１８】
以下、図面を参照しつつこの発明の好適な実施の一形態について説明するが、これは単なる一例であり、この発明は、発明の精神を逸脱しない範囲で種々の変更が可能である。
【００１９】
〔システムの概要〕
この発明の一実施例による電子音楽装置は、演奏情報処理機能を有する一種のコンピュータであり、典型的には、電子楽器のように演奏操作部及び楽音信号生成部を備える音楽専用機器が用いられるが、演奏操作部及び楽音信号生成部を設けたパーソナルコンピュータ（ＰＣ）のように電子楽器などの音楽専用機器と同等の演奏情報処理機能を有するデータ処理装置を用いることもできる。図１は、この発明の一実施例による電子音楽装置のシステム構成を説明するための図であり、図１（１）は、電子音楽装置のハードウエア構成ブロック図を示す。この電子音楽装置は、中央処理装置（ＣＰＵ）１、ランダムアクセスメモリ（ＲＡＭ）２、読出専用メモリ（ＲＯＭ）３、記憶装置４、演奏操作検出回路５、設定操作検出回路６、表示回路７、音源・効果回路８、通信インターフェース（Ｉ／Ｆ）９などを備え、これらの要素１〜９はバス１０を介して互いに接続される。
【００２０】
ＣＰＵ１は、ＲＡＭ２及ＲＯＭ３と共にデータ処理部を構成し、所定の制御プログラムに従い、タイマによるクロックを利用して種々の音楽情報処理を実行する。ＲＡＭ２は、これらの処理に際して必要な各種データを一時記憶するためのワーク領域として用いられる。ＲＯＭ３には、これらの処理を実行するために、各種制御プログラムやプリセットされた音楽コンテンツデータ（ＭＰ）等が予め記憶される。
【００２１】
記憶装置４は、ＨＤ（ハードディスク）、ＦＤ（フレキシブルディスク）、ＣＤ（コンパクトディスク）、ＤＶＤ（デジタル多目的ディスク）、フラッシュメモリなどの半導体メモリなどの記憶媒体と、その駆動装置を含み、任意の制御プログラムや自動演奏データ等を任意の記憶媒体に記憶することができる。例えば、この電子音楽装置の内部にフラッシュメモリを設けて、音色データや伴奏スタイルデータを含む種々の音楽コンテンツデータ（Ｄｅ，Ｄｔ）や、レジストレーションデータと呼ばれる演奏環境設定データ（Ｄｒ）を記憶しておくことができる。また、記憶媒体は、着脱可能であってもよいし、電子音楽装置に内蔵されていてもよい。
【００２２】
演奏操作検出回路５は、鍵盤などの演奏操作子１１の演奏操作を検出して検出内容に対応する演奏操作情報をリアルタイムにデータ処理部（１〜３）に導入する。設定操作検出回路６は、スイッチやマウス等の設定操作子（パネル操作子）１２の操作内容を検出して検出内容に対応する設定操作情報をデータ処理部に導入する。ここで、設定操作子１２としては、例えば、所望の音楽コンテンツを選択的に指示するために多種のコンテンツ選択スイッチが設けられる。また、レジストレーションデータの登録を指示するためのレジストレーション登録スイッチや、所定の決定入力を行うためのエンターキー（ＥＫ）等のスイッチも設けられる。表示回路７は、ＬＣＤ等のディスプレイ１３や、インジケータ／ランプ（図示せず）を備え、これらの表示・点灯内容をデータ処理部からの指令に従って制御し、演奏操作や設定操作などに関する表示援助を行う。
【００２３】
音源・効果回路８は、音源部或いは楽音信号生成部とも呼ばれ、音源（ＴＧ）やＤＳＰを有し、演奏操作検出回路５からデータ処理部を通じて与えられるリアルタイムの演奏情報に基づき、設定された演奏環境に従ったオーディオ形式の楽音信号を生成すると共にこの楽音信号に所定の効果を付与する。サウンドシステム１４は、Ｄ／Ａ変換部やアンプ、スピーカ等を備え、音源・効果回路８からの楽音信号に基づく楽音を発生する。音源・効果回路８は、ＲＯＭ３又は記憶装置４或いは通信Ｉ／Ｆ９から得られる自動演奏データに基づく楽音信号を生成することもできる。
【００２４】
通信Ｉ／Ｆ９は、ＭＩＤＩ等の音楽専用有線Ｉ／Ｆ、ＵＳＢやＩＥＥＥ１３９４等の汎用近距離有線Ｉ／Ｆ、Ｅｔｈｅｒｎｅｔ（登録商標）等の汎用ネットワークＩ／Ｆ、無線ＬａｎやＢｌｕｅｔｏｏｔｈ（登録商標）等の汎用近距離無線Ｉ／Ｆなどの１又は複数を含み、他の音楽機器との間でＭＩＤＩ演奏データを授受したり、外部のサーバコンピュータ等から制御プログラムや音楽コンテンツデータ等を受信し、記憶装置４に保存することができる。
【００２５】
〔音楽コンテンツデータ〕
この電子音楽装置には、音色データや伴奏スタイルデータなどの楽音制御データ（演奏環境データともいう）が音楽コンテンツデータとして種々の形態で用意されている。図１（２）は、この電子音楽装置で用いられる音楽コンテンツデータの形態例を表わす。ＲＯＭ３のプリセット音楽コンテンツ記憶部ＭＰには、予め複数種類のプリセット音楽コンテンツデータＤｐが記憶されており、記憶装置４として機能する内蔵のフラッシュメモリの拡張音楽コンテンツ記憶部ＭＥには、その後、この電子音楽装置ユーザにより入手される拡張的な音楽コンテンツとして、複数種類の購入済音楽コンテンツデータＤｅ及び試奏用音楽コンテンツデータＤｔを記憶することができる。拡張音楽コンテンツＤｅ，Ｄｔは、例えば、ネットワーク上のコンテンツ配信サーバや、音楽コンテンツを蓄積したＰＣなどから通信Ｉ／Ｆ９経由で供給したり、着脱可能な記憶媒体から供給することができる。なお、試奏用コンテンツＤｔについては、予めこの電子音楽装置内に内蔵されていることもある。
【００２６】
この電子音楽装置で取り扱われる音楽コンテンツデータの種類には、音色データや伴奏スタイルデータだけでなく、リアルタイムに切り替え可能な種々の楽音制御データ（演奏環境データ）があるが、図１（２）には、代表的な楽音制御データとして音色データ及び伴奏スタイルデータが例示されている。図示の例では、プリセットコンテンツ記憶部ＭＰには、複数のプリセット音色データＤｐｖ及びプリセット伴奏スタイルデータＤｐｓが用意されている。また、拡張音楽コンテンツ記憶部ＭＥｎには、購入済音楽コンテンツデータＤｅとして複数の購入済音色データＤｅｖ及び購入済伴奏スタイルデータＤｅｓが蓄積されており、試奏用音楽コンテンツデータＤｔとして複数の試奏用音色データＤｔｖ及び試奏用伴奏スタイルデータＤｔｓが蓄積されている。
【００２７】
拡張音楽コンテンツＤｅ，Ｄｔは、図１（２）左下に示すように、「購入済／試奏用フラグ」と音楽コンテンツ実体データ（単に実体データともいう）とを含む。各拡張音楽コンテンツは、このフラグが「購入済」を示しているか「試奏用」を示しているかにより、購入済みであるか試奏用に提供されているかが判るようになっている。また、コンテンツ実体データは、購入済音楽コンテンツ及び試奏用音楽コンテンツのどちらも共通である。つまり、互いに対応する購入済音楽コンテンツ及び試奏用音楽コンテンツについては、実体データは同等の内容を有しており、購入済／試奏用フラグが「購入済」及び「試奏用」の何れを示しているかだけが相違する。従って、このフラグが改竄（かいざん）されないように、コンテンツ全体、或いは、少なくともこのフラグが含まれる部分を暗号化しておくことが望ましい。また、購入手続きを踏むと、購入済／試奏用フラグは「試奏用」から「購入済」に差し替えられる。
【００２８】
試奏用音楽コンテンツが、対応する購入済音楽コンテンツと共通する同等のコンテンツ実体データを有しているということは、試奏用音楽コンテンツデータは、有償で提供される音楽コンテンツデータと同じクオリティを持っていることを意味しており、ユーザは、この音楽コンテンツの良し悪しを試奏用音楽コンテンツで十分に確認することができる。特に、音色データや伴奏スタイルデータなどの音楽コンテンツデータは、リアルタイム演奏に用いられる素材データであるので、有償の音楽コンテンツを購入する前に、同質の試奏用音楽コンテンツによってその演奏効果を試すことができれば、音楽コンテンツの本来の魅力を十分理解することができ、良ければ有償で購入したいと思っているユーザを納得させることができる。
【００２９】
なお、試奏用音楽コンテンツデータＤｔが音色データＤｔｖの場合、コンテンツ実体データとしては、「音色パラメータのみ」、「音色波形データのみ」、「音色波形＋パラメータ」、「演算型音源のアルゴリズム」などが挙げられる。また、試奏用音楽コンテンツデータＤｔは、音色データＤｔｖや伴奏スタイルデータＤｔｓに限らない。アルペジオパターンや短フレーズ、効果音など、リアルタイムに切り替えることの多い音楽コンテンツデータであれば何でもよい。
【００３０】
この電子音楽装置では、音楽コンテンツ選択処理において、演奏操作子１１を操作してリアルタイム演奏を行う際に、演奏の進行中の任意のタイミングで、上述したプリセット音楽コンテンツデータＤｐ：Ｄｐｖ，Ｄｐｓ，…や購入済音楽コンテンツデータＤｅ：Ｄｅｖ，Ｄｅｓ，…、試奏用音楽コンテンツデータＤｔ：Ｄｔｖ，Ｄｔｓ，…の中から所望の楽音制御データ（演奏環境データ）を選択的に指示することにより、所望の演奏環境に切り替えてリアルタイム演奏を楽しむことができる。例えば、音色データの指示操作に従って、音源部８で生成される演奏楽音信号の音色を切り替えたり、伴奏スタイルデータの指示操作に従って、音源部８で生成される自動伴奏楽音信号のパターンを切り替えることができる。つまり、試奏用データＤｔ：Ｄｔｖ，Ｄｔｓ，…が指示された場合にも、これら試奏用データは有償データと同じクオリティを持つので、有償データによる演奏環境と同質の演奏環境（試奏環境）が提供される。しかし、試奏用データＤｔが指示された場合には、切替えが指示された試奏用データＤｔが試奏の範囲で提供されている音楽コンテンツであることをユーザに認知させるために、後述するように、このような試奏環境に移行するのに一定の制限条件が設けられる。
【００３１】
この電子音楽装置では、また、プリセット音楽コンテンツデータＤｐ：Ｄｐｖ，Ｄｐｓ，…や購入済音楽コンテンツデータＤｅ：Ｄｅｖ，Ｄｅｓ，…、試奏用音楽コンテンツデータＤｔ：Ｄｔｖ，Ｄｔｓ，…の中から、所望の音色データや伴奏スタイルデータなどの楽音制御データを選択的に指定し、指定したこれらの楽音制御データや他の楽音制御データを組み合わせて所望の演奏環境を音源部８に設定し、設定された演奏環境で音楽演奏を行うことができる。従って、試奏用データＤｔ：Ｄｔｖ，Ｄｔｓ，…が指定された場合には、これら試奏用データは有償データと同じクオリティを持つので、有償データが指定された場合の演奏環境と同質の演奏環境（試奏環境）が提供される。しかし、設定された演奏環境をその後も利用することができるようにレジストレーションＤｒとして登録するレジストレーション登録処理においては、レジストレーションＤｒに含まれる試奏用データＤｔが試奏の範囲で提供されている音楽コンテンツであることをユーザに認知させるために、一定の登録制限条件が設けられる。
【００３２】
レジストレーションデータＤｒは、複数の音楽コンテンツや他の楽音制御データを同時に使う際の組合せ状態を保存するためのデータであり、この組合せ状態は、音源部８に設定された演奏環境を表わすので演奏環境設定データとも呼ばれる。レジストレーションデータＤｒは、記憶装置４であるフラッシュメモリのレジストレーション記憶部ＭＲに記憶され、図１（２）右下の例では、音楽コンテンツ中の音色データ及び伴奏スタイルデータに対応する音色指定情報（「音色１」、「音色２」）及び伴奏スタイル指定情報（「伴奏スタイル」）の外に、音量情報（「音量」）やテンポ情報（「テンポ」）等の他の演奏環境データが含まれる。ここで、レジストレーションデータＤｒは、音楽コンテンツ自体を記憶するものではなく、音楽コンテンツを指定する情報：音色指定情報・伴奏スタイル指定情報が記憶され、音色指定情報により、設定された音楽コンテンツ中の音色データを指定し、伴奏スタイル指定情報により、設定された音楽コンテンツ中の伴奏スタイルデータを指定する。なお、図中の「音色１」及び「音色２」は、それぞれ、第１及び第２音色レイヤーの音色指定を表わし、この演奏環境をそのまま再現すると、第１及び第２音色指定情報により夫々第１及び第２レイヤーの「音色１」及び「音色２」が指定され、「音色１」の楽音及び「音色２」の楽音が同時に発音される。
【００３３】
この電子音楽装置では、音源部８に設定された演奏環境を表わす演奏環境データ（楽音制御データ）の組合せ状態の中に試奏用コンテンツＤｔが含まれる場合、試奏用コンテンツＤｔを除いたレジストレーションデータＤｒが保存されて、試奏用コンテンツＤｔについては、図１（２）に「×」マークで示すように、保存することができないように登録制限を行う。例えば、図示のレジストレーションデータＤｒの構成において、第１音色指定情報が指定する第１レイヤーの「音色１」が購入済音色データＤｅｖであり、第２音色指定情報が指定する第２レイヤーの「音色２」が試奏用音色データＤｔｖである場合は、第２音色指定情報は記録（保存）されないので、このレジストレーションデータＤｒをレジストレーション記憶部ＭＲから読み出してその演奏環境を再現しても、「音色１」の楽音のみが発音されるだけで、試奏用音色データＤｔｖに対応する「音色２」の楽音は発音されない。従って、試奏用音色データＤｔｖは試奏の範囲で提供されている音楽コンテンツであることをユーザに認知させることができる。
【００３４】
〔音楽コンテンツ選択処理〕
図２は、この発明の一実施例による音楽コンテンツ選択処理を説明するための図であり、図２（１）は、音楽コンテンツ選択処理の手順を示すフローチャートである。この音楽コンテンツ選択処理は、演奏操作子１１及び設定操作子１２の操作を順次スキャンする操作子操作スキャン処理において音楽コンテンツ選択操作をスキャンしたときに開始する。この音楽コンテンツ選択操作は、音源部８に設定される演奏環境について或る音楽コンテンツから別の音楽コンテンツに切り替える際に行われる。つまり、この音楽コンテンツ選択操作には、例えば、音色の選択、伴奏スタイルの選択、伴奏スタイルデータ内におけるイントロ、メイン、フィルイン、エンディング等の各セクションの選択など、音楽コンテンツの選択に関する多種にわたる音楽コンテンツの指示操作が含まれ、後述する第３実施形態が実施される場合には、試奏用音楽コンテンツＤｔを含むレジストレーションＤｒの呼出しに関する操作が含まれる。
【００３５】
最初のステップＳ１では、ＣＰＵ１は、音楽コンテンツ選択操作があったか否かを判定し、音楽コンテンツ選択操作がないときは（Ｓ１＝ＮＯ）、今回の音楽コンテンツ選択処理を終了し、次の操作子操作スキャン処理にリターンする。一方、音楽コンテンツ選択操作があったときには（Ｓ１＝ＹＥＳ）、ステップＳ２で、選択操作で指示された音楽コンテンツが拡張音楽コンテンツであるか否かを判定し、この音楽コンテンツが購入済／試奏用フラグを有し拡張音楽コンテンツであるときは（Ｓ２＝ＹＥＳ）、ステップＳ３に進む。ステップＳ３では、購入済／試奏用フラグの内容をチェックし、次のステップＳ４で、この音楽コンテンツが試奏用音楽コンテンツＤｔであるか否かを判定する。
【００３６】
ここで、試奏用音楽コンテンツＤｔであれば（Ｓ４＝ＹＥＳ）、ステップＳ５に進み、試奏データ選択報知メッセージＭｓａをディスプレイ１３上に表示して、ユーザに操作パネルＰＮ上のエンターキーＥＫの操作を促すと共にタイマーにより計時を開始する。例えば、試奏用音楽コンテンツＤｔとして音色データＤｔｖを選択した際には、図２（２）に示されるように「この音色データは試奏用です。音色を切り替えるにはＥｎｔｅｒキーを押してください。※１０秒後に自動的に切り替ります。ＯＫ」という試奏データ選択報知メッセージＭｓａの画面がディスプレイ１３上に表示される。また、伴奏スタイルを選択した際には、メッセージＭｓａの主文の部分が「この伴奏スタイルデータは試奏用です。伴奏スタイルを切り替えるにはＥｎｔｅｒキーを押してください。」という表示になる。なお、メッセージ表示画面には、操作パネルＰＮのエンターキーＥＫに対向する位置にＯＫ表記が表示され、ユーザにエンターキーＥＫの所在を案内する。
【００３７】
次のステップＳ６では、エンターキーＥＫの操作があったか否かを判定し、エンターキーＥＫの操作がない間は（Ｓ６＝ＮＯ）、ステップＳ７で所定時間（例えば、１０秒）が経過したか否かを判定し、所定時間が経過しないときは（Ｓ７＝ＮＯ）、ステップＳ６に戻り、試奏データ選択報知メッセージＭｓａの表示を継続する。そして、エンターキーＥＫの操作があったとき（Ｓ６＝ＹＥＳ）、或いは、試奏データ選択報知メッセージＭｓａの表示を開始してから所定時間が経過したときは（Ｓ７＝ＹＥＳ）、ステップＳ８に進んで、ディスプレイ１３の画面からメッセージＭｓａを消去し、所定の音楽コンテンツ選択中画面へと画面更新を行う。
【００３８】
ステップＳ２で、選択操作で指示された音楽コンテンツは拡張音楽コンテンツではなくプリセット音楽コンテンツＤｐであると判定したとき（Ｓ２＝ＮＯ）、ステップＳ４で、同音楽コンテンツは試奏用音楽コンテンツＤｔではなく購入済音楽コンテンツＤｅであると判定したとき（Ｓ４＝ＮＯ）、或いは、ステップＳ８の画面更新処理の後は、それまで選択されていた音楽コンテンツから、今回の選択操作で指示された音楽コンテンツに切り替える。そして、今回の音楽コンテンツ選択処理を終了し、次の操作子操作スキャン処理にリターンする。
【００３９】
上述した音楽コンテンツ選択処理では、試奏用音楽コンテンツデータＤｔを利用する際の制限条件として、メッセージＭｓａの表示に応じたエンターキーＥＫの操作という条件と、試奏用音楽コンテンツ選択操作時点からの所定時間（例えば、１０秒）の経過という条件の両方を備えるようにしたが、これに限らず、何れか一方の条件のみを備えるものでもよい。
【００４０】
つまり、この電子音楽装置は、音楽コンテンツ選択処理上からみて次のような特徴を備えている：この電子音楽装置では、音色データや伴奏スタイルデータ等の有償の音楽コンテンツデータに対応して、これと同じクオリティを有する試奏用音楽コンテンツデータＤｔ：Ｄｔｖ，Ｄｔｓ，…がユーザに提供され、これにより十分な試奏環境が与えられるが、リアルタイム演奏時における試奏用音楽コンテンツデータＤｔの利用開始については一定の制限条件が設けられる。つまり、リアルタイム演奏時に或る音楽コンテンツから試奏用音楽コンテンツデータＤｔに切り替える際には（Ｓ４＝ＹＥＳ）、試奏用音楽コンテンツ選択操作（Ｓ１＝ＹＥＳ）に応じて提示される試奏データ選択報知メッセージＭｓａが要求する所定の操作子ＥＫの操作が行われるか（Ｓ６＝ＹＥＳ）、或いは、試奏用音楽コンテンツ選択操作（Ｓ１＝ＹＥＳ）から所定時間の経過したときに（Ｓ７＝ＹＥＳ）、試奏用コンテンツデータＤｔに切り替える（Ｓ９）。
【００４１】
〔レジストレーション登録処理〕
図３は、この発明の一実施例によるレジストレーション登録処理を説明するための図であり、図３（１）は、レジストレーション登録処理の手順を示すフローチャートである。このレジストレーション登録処理は、演奏操作子１１及び設定操作子１２の操作を順次スキャンする操作子操作スキャン処理においてレジストレーション登録操作をスキャンしたときに開始する。このレジストレーション登録操作は、プリセット音楽コンテンツデータＤｐや購入済音楽コンテンツデータＤｅ、試奏用音楽コンテンツデータＤｔから選択された音色データ、伴奏スタイルデータ、他の楽音制御データ（他の演奏環境データ）などを組み合わせて所望の演奏環境を音源部８に設定した後、設定された現在の演奏環境をレジストレーションデータ（演奏環境設定データ）Ｄｒとしてレジストレーション記憶部ＭＲに登録しようとする際に行われる。最初のステップＲ１では、ＣＰＵ１は、レジストレーション登録操作があったか否かを判定し、レジストレーション登録操作がないときは（Ｒ１＝ＮＯ）、今回のレジストレーション登録処理を終了し、次の操作子操作スキャン処理にリターンする。
【００４２】
一方、レジストレーション登録操作があったときには（Ｒ１＝ＹＥＳ）、ステップＲ２で、登録しようとする現在の演奏環境に、購入済／試奏用フラグを有する拡張音楽コンテンツが含まれているか否かを判定し、拡張音楽コンテンツが含まれているときは（Ｒ２＝ＹＥＳ）、ステップＲ３に進む。ステップＲ３では、登録しようとする演奏環境に含まれている各拡張音楽コンテンツの購入済／試奏用フラグの内容をチェックし、次のステップＲ４で、試奏用音楽コンテンツＤｔがあるか否かを判定する。
【００４３】
ステップＲ２で、登録しようとする演奏環境に拡張音楽コンテンツは含まれていない（音楽コンテンツはプリセット音楽コンテンツＤｐのみ）と判定したとき（Ｒ２＝ＮＯ）、或いは、ステップＲ４で、同演奏環境に試奏用音楽コンテンツＤｔはない（音楽コンテンツは、購入済音楽コンテンツＤｅのみ、または、プリセット音楽コンテンツＤｐ及び購入済音楽コンテンツＤｅのみ）と判定したときは（Ｒ４＝ＮＯ）、ステップＲ５で、全ての演奏環境データをレジストレーションデータＤｒとしてレジストレーション記憶部ＭＲに保存する。そして、今回のレジストレーション登録処理を終了し、次の操作子操作スキャン処理にリターンする。
【００４４】
一方、ステップＲ４で、登録しようとする演奏環境に試奏用音楽コンテンツＤｔがあると判定したときは（Ｒ４＝ＹＥＳ）、ステップＲ６に進んで、試奏用音楽コンテンツＤｔを除く演奏環境をレジストレーションデータＤｒとしてレジストレーション記憶部ＭＲに保存する。次いで、ステップＲ７で、試奏データ非登録報知メッセージＭｓｂをディスプレイ１３上に表示して、試奏用音楽コンテンツＤｔについてはレジストレーションから除外される旨をユーザに報知する。例えば、試奏用音楽コンテンツＤｔとして音色データＤｔｖを登録しようとした際には、図３（２）に示されるように「この音色データは試奏用です。レジストレーションには保存できません。ＯＫ」という試奏データ非登録報知メッセージＭｓｂの画面がディスプレイ１３上に表示される。また、伴奏スタイルを登録しようとした際には、メッセージＭｓｂは「この伴奏スタイルデータは試奏用です…」という表示になる。また、メッセージ表示画面には、操作パネルＰＮのエンターキーＥＫに対向する位置にＯＫ表記が表示され、ユーザに対して、このメッセージＭｓｂの意味を了解した場合に操作されるエンターキーＥＫの所在を案内する。
【００４５】
そして、次のステップＲ８で、エンターキーＥＫのユーザ操作があったことに応じて、ディスプレイ１３の画面からメッセージＭｓｂを消去して、今回のレジストレーション登録処理を終了し、次の操作子操作スキャン処理にリターンする。
【００４６】
なお、このレジストレーション登録処理では、登録しようとする演奏環境をレジストレーションデータＤｒとして保存すると説明したが、演奏環境を保存する機能は「レジストレーション」という名称に限らない。また、このレジストレーション登録処理において、演奏したい楽曲名や音楽ジャンル名と共に演奏環境設定データ（レジストレーションデータ）Ｄｒを保存するようにしておけば、その演奏環境を再現して当該楽曲を演奏したり当該音楽ジャンルの演奏を行う際に、楽曲名や音楽ジャンル名により簡単にこの演奏環境設定データを呼び出すことができる。
【００４７】
〔レジストレーション登録の種々の実施形態〕
上述したレジストレーション登録処理では、登録しようとする演奏環境に試奏用音楽コンテンツＤｔ：Ｄｔｖ，Ｄｔｓ，…が含まれていた場合に、試奏の範囲で提供されている試奏用音楽コンテンツＤｔを含んでいることをユーザに認知させるために、試奏用音楽コンテンツＤｔを除く演奏環境をレジストレーションデータＤｒとしてレジストレーション記憶部ＭＲに保存するようにしたが、別の実施形態として、例えばステップＲ６での処理を無くして、レジストレーションの保存自体を禁止する構成にしてもよい。
【００４８】
更に別の実施形態として、登録しようとする演奏環境に試奏用音楽コンテンツＤｔ：Ｄｔｖ，Ｄｔｓ，…が含まれていた場合でも、そのまま演奏環境設定データＤｒとして試奏用音楽コンテンツＤｔを含めて登録することができるようにしてもよい。この場合、このように試奏用音楽コンテンツＤｔを含む演奏環境を呼び出した際には、音楽コンテンツ選択処理で試奏用音楽コンテンツＤｔを選択した場合と同様に、所定のメッセージを表示したり、操作子操作がなされないか或いは所定時間（例えば、１０秒）が経過しない限り演奏環境が再現されない構成にしてもよい。或いは、試奏用音楽コンテンツＤｔだけを呼び出さないようにしてもよい。これらの場合、正式にコンテンツを購入した時点で、購入済／試奏用フラグを「試奏用」から「購入済」に差し替えることで、直ちに呼び出せるようになる。
【００４９】
以上のように、この電子音楽装置は、レジストレーション登録処理上からみて次のような特徴を備えている：この電子音楽装置では、音色データや伴奏スタイルデータ等の有償の音楽コンテンツデータに対応して、これと同じクオリティを有する試奏用音楽コンテンツデータＤｔ：Ｄｔｖ，Ｄｔｓ，…がユーザに提供され、これにより十分な試奏環境が与えられるが、演奏環境設定データ（レジストレーションデータ）Ｄｒの登録に関して一定の制限が設けられる。例えば、試奏用音楽コンテンツデータＤｔを含む演奏環境設定データＤｒを保存する際には、試奏用音楽コンテンツデータＤｔについては保存を禁止して（Ｒ６）試奏用音楽コンテンツＤｔに関わる演奏環境は再現することができないようにする。或いは、このような演奏環境設定データＤｒは保存自体を禁止して試奏用音楽コンテンツデータＤｔを含む演奏環境は再現することができないようにする。或いは、試奏用音楽コンテンツデータＤｔを含んでいても演奏環境設定データＤｒを保存するが、演奏環境設定データＤｒを読み出す際に、試奏用音楽コンテンツデータＤｔの呼出しを禁止して試奏用音楽コンテンツに関わる演奏環境は再現することができないようにする。
【図面の簡単な説明】
【００５０】
【図１】この発明の一実施例による電子音楽装置の構成説明図である。
【図２】この発明の一実施例による音楽コンテンツ選択処理の説明図である。
【図３】この発明の一実施例によるレジストレーション登録処理の説明図である。
【符号の説明】
【００５１】
Ｄｐ：Ｄｐｖ，Ｄｐｓ  プリセット音楽コンテンツ（音色及び伴奏スタイル）データ、
Ｄｅ：Ｄｅｖ，Ｄｅｓ  購入済音楽コンテンツ（音色及び伴奏スタイル）データ、
Ｄｔ：Ｄｔｖ，Ｄｔｓ  試奏用音楽コンテンツ（音色及び伴奏スタイル）データ、
Ｄｒ  レジストレーションデータ（演奏環境設定データ）、
ＰＮ，ＥＫ  操作パネル及びエンターキー、
Ｍｓａ，Ｍｓｂ  試奏データ選択報知メッセージ及び試奏データ非登録報知メッセージ。
【図１】
0005320785.tif 000002
【図２】
0005320785.tif 000003
【図３】
0005320785.tif 000004